(57)【要約】【課題】限られた水量でも旋回流を効率的に発達させ、強い吸引力が得られるマッサージノズル及びこのマッサージノズルを用いたマッサージシステムを提供することを目的とする。【解決手段】室内に旋回流を形成するように設けられた入水部と、前記旋回流を吐水し負圧部が形成されるように設けられた吐水口と、を有する旋回室と、を備え、前記入水部は、前記旋回室に対する入水方向に対向する方向から見たときに、前記旋回流の旋回軸に対して垂直な方向の幅よりも前記旋回軸に対して平行な方向の幅の方が大なることを特徴とするマッサージノズル及びこれを用いたマッサージシステムを提供する。【選択図】  図１
2004337447.tif 000002
【特許請求の範囲】
【請求項１】
室内に旋回流を形成するように設けられた入水部と、前記旋回流を吐水し負圧部が形成されるように設けられた吐水口と、を有する旋回室を備え、
前記入水部は、前記旋回室への入水方向に対向する方向から見たときに、前記旋回流の旋回軸に対して垂直な方向の幅よりも前記旋回軸に対して平行な方向の幅の方が大なることを特徴とするマッサージノズル。
【請求項２】
室内に旋回流を形成するように設けられた入水部と、前記旋回流を吐水し負圧部が形成されるように設けられた吐水口と、を有する旋回室を備え、
前記旋回室への入水方向に対して垂直且つ前記旋回流の旋回軸に対して垂直な方向に沿った前記入水部の幅よりも、前記旋回室に対する入水方向に対して垂直且つ前記旋回流の旋回軸に対して平行な方向に沿った前記入水部の幅の方が大なることを特徴とするマッサージノズル。
【請求項３】
前記旋回室は、略円筒状の周壁を有し、
前記入水部から前記略円筒状の前記周壁の接線方向に水が入水されることを特徴とする請求項１また２に記載のマッサージノズル。
【請求項４】
前記旋回軸に対して平行な方向から見たとき、前記入水部から前記旋回室に流入する入水流は、前記吐水口よりも外側に流入することを特徴とする請求項１〜３のいずれか１つに記載のマッサージノズル。
【請求項５】
前記旋回室は、前記入水部から前記吐水口に至る部分が前記吐水口の開口径と略同一の内径を有することを特徴とする請求項１〜３のいずれか１つに記載のマッサージノズル。
【請求項６】
前記入水部は、前記旋回室において前記吐水口と対向する底面に近接して設けられたことを特徴とする請求項１〜５のいずれか１つに記載のマッサージノズル。
【請求項７】
前記旋回室に、複数の前記入水部が接続されたことを特徴とする請求項１〜６のいずれか１つに記載のマッサージノズル。
【請求項８】
前記入水部は、その開口面積が可変とされたことを特徴とする請求項１〜７のいずれか１つに記載のマッサージノズル。
【請求項９】
送水手段と、
請求項１〜８のいずれか１つに記載のマッサージノズルと、
を備え、
前記送水手段から前記マッサージノズルの前記入水部に水を供給し、使用者が前記マッサージノズルの前記吐水口に形成される前記負圧部を利用したマッサージを実施可能としたことを特徴とするマッサージシステム。
【発明の詳細な説明】
【０００１】
【発明の属する技術分野】
本発明は、マッサージノズル及びマッサージシステムに関し、特に、水の圧力を利用してノズル内で旋回水流を形成し、その中心部に形成される負圧部を利用して身体に吸引圧を作用させることができるマッサージノズル及びこのマッサージノズルを用いたマッサージシステムに関する。
【０００２】
【従来の技術】
美容や健康増進を目的として身体の皮膚表面をマッサージし、血液の循環を活性化するマッサージ器は、広く用いられている。このような従来のマッサージ器としては、例えば電動式の肩たたき器や腰もみ器、減圧状態にした吸入孔を身体表面に吸着させて使う器具など等が知られている。
【０００３】
しかしながら、このような従来のマッサージ器は単に揉むだけ、または吸引するだけのもので、十分に高い生体効果まで得られるものではなく、使い勝手と、優れたマッサージ効果とを兼ね備えて実現したものはこれまでになかった。
【０００４】
水を用いたマッサージ装置としては、ノズル内部の周壁に沿って加圧液体を接線方向に流入させ、且つ外気を導入して気泡を生じさせるとともに、吐水口近傍で吸引することができる「吸引マッサージ気泡噴流装置」が考案されている（例えば、特許文献１参照）。この考案では、吐水口近傍に複数個の突起を設けており、ノズルの身体への押し圧の変化によって吐水流の強弱を変化させ、吸引力を変化させることができる。
【０００５】
また、一端を閉じ、他端を開放状とした円筒体内にその内周接線方向に加圧液体を導入する開口と、上記閉塞端に円筒体の中心位置で外気を導入する開口とを設け、さらに、円筒体の外側に案内筒を設けて吐水口近傍で吸引することができる「マッサージ器」が考案されている（例えば、特許文献２参照）。この発明では、案内筒を身体に密着させて用いることで吸引部と押圧部を形成し、吸引部で皮膚を吸引し、押圧部で微小な気泡を身体にあてることができる。
【０００６】
【特許文献１】
実開昭６３−７４１２３号公報
【特許文献２】
実開平４−５５３３７号公報
【０００７】
【発明が解決しようとする課題】
しかし、人体に吸引力を作用させて、高い生体効果を得るためには、強い吸引力が必要である。本発明者の検討によれば、老廃物と脂肪の塊である「セルライト」を改質させたり、脚部あるいは臀部などの「むくみ」を解消したり、局所脂肪を燃焼させたり、体型を引き締めるなど、高い生体効果を得るためには、人体の表面層に強い吸引力を作用させ、所定の変位を与えることが重要であることが分かっている。
【０００８】
強い吸引力を得るためには、旋回流を十分に発達させる必要がある。しかし、一方で、家庭内などでの使用を想定すると、ランニングコストや設置スペースなどの点で給水ポンプの能力には限度がある。従って、効率よく旋回流を形成させる技術が必要である。
【０００９】
本発明はかかる課題の認識に基づいてなされたものであり、その目的は、限られた水量でも旋回流を効率的に発達させ、強い吸引力が得られるマッサージノズル及びこのマッサージノズルを用いたマッサージシステムを提供することにある。
【００１０】
【課題を解決するための手段】
上記目的を達成するため、本発明のマッサージノズルは、室内に旋回流を形成するように設けられた入水部と、前記旋回流を吐水し負圧部が形成されるように設けられた吐水口と、を有する旋回室を備え、前記入水部は、前記旋回室への入水方向に対向する方向から見たときに、前記旋回流の旋回軸に対して垂直な方向の幅よりも前記旋回軸に対して平行な方向の幅の方が大なることを特徴とする。
【００１１】
入水部を旋回軸の方向沿って縦長に形成することにより、旋回室に流入する水流を旋回室の内周壁に接近させることができるので、旋回モーメントが増加し、旋回流を十分に発達させることができる。従って、同一の投入パワーまたは同一の流量においても、より強い旋回流が得られ、吸引力が増大する。そして、効率良く吸引力を発生させることができるので、給水ポンプを小型化でき、初期コスト、ランニングコストを低下させ、省スペースも実現できる。
【００１２】
または、本発明のマッサージノズルは、室内に旋回流を形成するように設けられた入水部と、前記旋回流を吐水し負圧部が形成されるように設けられた吐水口と、を有する旋回室を備え、前記旋回室への入水方向に対して垂直且つ前記旋回流の旋回軸に対して垂直な方向に沿った前記入水部の幅よりも、前記旋回室に対する入水方向に対して垂直且つ前記旋回流の旋回軸に対して平行な方向に沿った前記入水部の幅の方が大なることを特徴とする。
【００１３】
上記構成によっても、同様に入水部を旋回軸の方向沿って縦長に形成することにより、旋回室に流入する水流を旋回室の内周壁に接近させることができるので、旋回モーメントが増加し、旋回流を十分に発達させることができる。従って、同一の投入パワーまたは同一の流量においても、より強い旋回流が得られ、吸引力が増大する。そして、効率良く吸引力を発生させることができるので、給水ポンプを小型化でき、初期コスト、ランニングコストを低下させ、省スペースも実現できる。
【００１４】
ここで、前記旋回室は、略円筒状の周壁を有し、前記入水部から前記略円筒状の前記周壁の接線方向に水が入水されるものとすれば、旋回室の周壁に沿った旋回流を効率よく形成することができ、同一の投入パワーまたは同一の流量においても、より強い旋回流が得られ、吸引力が増大する。
【００１５】
また、前記旋回軸に対して平行な方向から見たとき、前記入水部から前記旋回室に流入する入水流は、前記吐水口よりも外側に流入するものとすれば、入水部から旋回室に導入される入水流が、理想的な旋回流の水膜の厚みを超えることがなく、入水力を旋回力に効率よく変換できる。
【００１６】
また、前記旋回室は、前記入水部から前記吐水口に至る部分が前記吐水口の開口径と略同一の内径を有するものとすることができる。
入水部から吐水口までの内径を略同一とすることにより、入水部から導入され旋回流を形成する液体の圧力損失を低減し、小さい送水能力の送水手段を用いた場合でも大きな流量が得られ、強い吸引力が得られる。また、マッサージノズルのサイズをコンパクトにでき、さらに、製造性も大幅に向上する。
【００１７】
また、前記入水部は、前記旋回室において前記吐水口と対向する底面に近接して設けられたものとすれば、旋回室に導入された水が吐水口に到達する前に、旋回流を十分に発達させることができる。
【００１８】
また、前記旋回室に、複数の前記入水部が接続されたものとすれば、旋回室の周壁に近接して水を導入しつつ、旋回室に導入する水の流量を確保することができる。
【００１９】
また、前記入水部は、その開口面積が可変とされたものとすることができ、例えば、開口面積を拡大し、旋回室の周壁接線方向でなく中心付近に水を導入するすることによって、旋回流の形成を抑制することも可能となる。
【００２０】
一方、本発明のマッサージシステムは、送水手段と、上記いずれかのマッサージノズルと、を備え、前記送水手段から前記マッサージノズルの前記入水部に水を供給し、使用者が前記マッサージノズルの前記吐水口に形成される前記負圧部を利用したマッサージを実施可能としたことを特徴とする。
上記構成によれば、効率良く吸引力を発生させることができるので、給水ポンプを小型化でき、初期コスト、ランニングコストを低下させ、省スペースも実現できるマッサージシステムを提供できる。
【００２１】
【発明の実施の形態】
以下、図面を参照しつつ本発明の実施の形態について説明する。
図１〜図４は、本発明の実施の形態にかかるマッサージノズル１を表す模式図である。すなわち、図１は、マッサージノズル１の正面図であり、図２は、図１のＡ−Ａ線断面図、図３は、図２のＢ−Ｂ線断面図である。
また、図４（ａ）は、図３を異なる方向に表したものであり、同図（ｂ）は、同図（ａ）のＣ−Ｃ線断面図である。
本実施形態のマッサージノズル１は、断面が円型である旋回室８と旋回室８の周壁の接線方向に水を導入する入水部６とを有する旋回部２と、入水部６へ連通するよう開口された導入路５を内部に有する接続部４と、吐水口７を有し旋回室８から吐水口７へと断面積が滑らかに変化するよう設けられた絞り部９を有する吐水部３と、を有する。入水部６から導入された水は、旋回室８の周壁に沿って軸Ｚを旋回軸とする旋回流ＣＦを形成する。
旋回流ＣＦを効率的に形成するためには、入水部６は旋回室の周壁８Ｗの接線方向に開口していることが望ましい。ただし、入水部６が、周壁８Ｗに対して正確に接線方向に開口しておらず、その開口方向あるいは開口位置に接線方向からの「ずれ」があるような場合でも、旋回流が形成されればよい。
【００２２】
ここで、「入水部６」とは、旋回室８へ導入される水流の導入方向を実質的に決定する入水路６Ａと、その入水路６Ａの旋回室８における開口端である入水口６Ｂと、を含む。例えば、図１乃至図４に例示したマッサージノズル１の場合には、旋回室８へ導入される水流の導入方向は、矢印Ｓの方向である。従って、入水路６Ａは、矢印Ｓの方向に設けられた水路に対応する。また、入水口６Ｂは、この水路と旋回室８との境界に対応する。
【００２３】
そして、本発明においては、図４に表したように、旋回室８への入水方向（矢印Ｓ）に対向する方向（矢印Ｃの方向）から見たときに、入水部６は、旋回流ＣＦの旋回軸Ｚに対して垂直な方向の幅Ｗ２よりも旋回軸Ｚに対して平行な方向の幅Ｗ１の方が大なる形態に形成されている。後に詳述するように、このような扁平開口状の入水部６を設けることにより、旋回流を効率良く形成できる。
ここで、入水部６の全体に亘って、上述の幅Ｗ１とＷ２との関係が維持される必要はなく、その一部のみにおいて、上述の幅Ｗ１とＷ２との関係が成立すればよい。例えば、旋回流への影響度を鑑みると、入水口６Ｂあるいはその近傍において上述の幅Ｗ１とＷ２との関係が成立することが望ましく、圧力損失を低減するために、入水路６Ａは導入路５から入水口６Ｂへと滑らかに連通していることが望ましい。
【００２４】
または、本発明においては、旋回室８への入水方向（矢印Ｓ）に対して垂直且つ旋回流ＣＦの旋回軸Ｚに対して垂直な方向に沿った入水部６の幅Ｗ２よりも、旋回室８に対する入水方向に対して垂直且つ旋回流の旋回軸Ｚに対して平行な方向に沿った入水部６の幅Ｗ１の方が大なる。後に詳述するように、このような扁平開口状の入水部６を設けることにより、旋回流を効率良く形成できる。
この場合も、入水部６の全体に亘って、上述の幅Ｗ１とＷ２との関係が維持される必要はなく、その一部のみにおいて、幅Ｗ１とＷ２との関係が成立すればよい。例えば、旋回流への影響度を鑑みると、入水口６Ｂあるいはその近傍において上述の幅Ｗ１とＷ２との関係が成立することが望ましく、圧力損失を低減するために、入水路６Ａは導入路５から入水口６Ｂへと滑らかに連通していることが望ましい。
【００２５】
接続部４は、例えば一般のシャワーヘッドと交換可能なようにネジ等を設けておけば、シャワーホースに連結することができ、水道直結型として使用することができる。また、例えばブロー浴器の吐水口に接続可能にネジ等を設けておけば、浴槽水循環型として使用することができる。
【００２６】
以下、図２及び図３を参照しつつ、マッサージノズル１の動作について説明する。
図示しない送水手段から送られた水は、接続部４内の導入路５を通り、旋回部２内の入水部６から旋回室８へと導入される。この際に、入水部６は旋回室８の接線方向に開口されているので、旋回室８内に導入された水は、旋回流ＣＦを形成する。この旋回流ＣＦは、絞り部９内で徐々に流速を速めながら吐水口７に達し、吐水口７から円錐状の旋回吐水（図中Ａ）となって吐水される。この時、旋回流ＣＦがもつ遠心力によって、旋回室８の中心部に負圧部が生じるため、吐水口７の中心軸に沿ってマッサージノズル１の外から旋回室８の中へ引き込もうとする力Ｂ（以下、「吸引力」と呼ぶ。）が生じる。
【００２７】
一方、旋回吐水Ａは、吐水口７の先端と人体の被処理部位１０との間には連続的な水膜を形成する。従って、吐水口７の近傍に被処理部位１０を近づけると、旋回吐水Ａによってドーナツ状に押され、かつその中心部は吸引力Ｂによって引っ張られる。つまり人体１０は押圧力と吸引力とを同時に受けるという快適なマッサージ感を得ることができる。
【００２８】
これにより、被処理部位１０は立体的にマッサージを受けることが可能であり、血行促進を促す等の効果がある。人体の被処理部位１０の形状等を考慮すると、吐水口７の径は、φ５ｍｍ〜φ８０ｍｍの範囲内にあることが望ましい。これ以上大きいと人体の起伏にそって操作しにくくまた装置が大きくなるため操作性に乏しい。逆に、この範囲よりも小さいと、人体に対してマッサージ効果及びマッサージ感が乏しくなる。また、旋回吐水Ａおよび吸引力Ｂは吐水口７からの距離によって変化するので、吐水口７から人体１０までの距離を変化させることで作用力を変化でき、使用者に与えるマッサージ感を変化させることもできる。
【００２９】
そして、本発明においては、図４に表したように、旋回室８に対する入水方向（矢印Ｓ）に対向する方向から見たときに、旋回流ＣＦの旋回軸Ｚに対して垂直な方向の幅Ｗ２よりも旋回軸Ｚに対して平行な方向の幅Ｗ１の方が大なる形態に形成されている。換言すると、旋回室８への入水方向（矢印Ｓ）に対して垂直且つ旋回流ＣＦの旋回軸Ｚに対して垂直な方向に沿った入水部６の幅Ｗ２よりも、旋回室８に対する入水方向に対して垂直且つ旋回流の旋回軸Ｚに対して平行な方向に沿った入水部６の幅Ｗ１の方が大となるように形成されている。このように入水部６を形成することにより、旋回室８において旋回流を効率的に発達させることができる。その結果として、少ない流量で大きな吸引力が得られる。
【００３０】
図５は、入水部６の開口形状を比較して表した模式図である。すなわち、同図は、図４（ｂ）と同様に、入水部６の入水方向に対向する方向から眺めた模式図である。図５（ａ）は、本発明の入水部を表す。また、同図（ｂ）は、幅Ｗ１とＷ２とがほぼ同一の場合を表し、同図（ｃ）は、幅Ｗ２のほうがＷ１よりも大きい扁平形状の入水部を表す。
【００３１】
本発明者は、これらのうち、図５（ａ）および（ｃ）に表した入水部６を有するマッサージノズルをそれぞれ試作し、吸引力を比較した。
図６は、本発明者が実施した測定の方法を表す模式図である。すなわち、本発明及び比較例のマッサージノズルの吐水口の正面に受圧板３００を配置し、この受圧板３００に負荷される吸引力を測定した。測定したマッサージノズルの構造パラメータは以下の通りである。なお、受圧板３００は、ノズルの吐水口と同一のサイズ及び形状（円形）を有する。
2004337447.tif 000003
まず、これらのマッサージノズルに同一の送水能力を有する送水ポンプを接続し、吐水流量を測定した。その結果は以下の如くであった。
2004337447.tif 000004
図７は、これらノズルについて吐水口からの距離と吸引力との関係を表すグラフ図である。すなわち、同図の横軸は吐水口７から受圧板３００までの距離を表し、縦軸は受圧板３００に作用した吸引力を表す。
図７から、同一口径について比較すると、本発明のノズルのほうが比較例よりも強い吸引力が得られることが分かる。例えば、吐水口径が３０ｍｍφの場合について比較すると、本発明のノズルにおいては吸引力のピークが約１６４ｇｆに達するのに対して、比較例のノズルの吸引力のピークは約９５ｇｆに過ぎない。口径１５ｍｍφの場合についても、同様に本発明のノズルの吸引力のピークは約１０６ｇｆに達するのに対して、比較例のノズルのピークは約７３ｇｆに過ぎない。
【００３２】
これは、比較例と比べた場合、本発明のノズルのほうが、入水部６の開口中心が旋回軸Ｚから遠くなるので、水流に与えるモーメントが増加し、旋回流ＣＦを十分に発達させやすいからであると考えられる。つまり、本発明によれば、効率良く旋回流を発達させて強い吸引力を発生させることができる。このため、少ない送水量あるいは小さな送水ポンプでも強い吸引力が得られ、従来よりも顕著な各種の生体効果が得られると同時に、ランニングコストや設置スペースなどの削減も可能となる。
【００３３】
図８は、本発明と比較例のノズルの吸引力の比率を吐水口径ごとに比較したグラフ図である。すなわち、同図の横軸は、吐水口径を表す。また、縦軸は、比較例のノズルの吸引力のピーク値に対する、本発明のノズルの吸引力のピーク値の比率を表す。
【００３４】
このグラフから、吐水口径が大きくなるほど、本発明のノズルのほうが比較例よりも高い吸引力が得られることが分かる。これは、吐水口径が大きくなるほど、比較例のノズルでは入水力を旋回力に効率よく変換できないためであると考えられる。
【００３５】
図９および図１０は、本発明および比較例のマッサージノズルにおける旋回流の状態を例示した概念図である。これらの図も、図４と同様に入水部６の入水方向に対向する方向から眺めた断面図である。また、図９は、吐水口７の口径が小さい場合を表し、図１０は、吐水口７の口径が大きい場合を表す。
図９に表したように、吐水口径が小さい場合には、絞り部９における「絞り」の効果が強く作用するため、水の「閉じこめ」の効果が強くなる。その結果として、比較例（同図（ｂ））の如く旋回軸に近い部分から水が導入されても、「閉じこめ」の効果により旋回流ＣＦはある程度は発達しやすくなる。
【００３６】
これに対して、図１０に表したように、吐水口径が大きくなると、絞り部９における「絞り」の効果が弱まる。そのため、水の「閉じこめ」の効果も弱くなる。その結果として、比較例（同図（ｂ））の場合には、入水部６から導入された水が旋回流として十分に発達する前に、吐水口７に至ってしまう。つまり、入水力を旋回力に効率よく変換できない。
【００３７】
これに対して、本発明のノズルの場合には、図１０（ａ）に表したように、旋回室８の周壁に近接した部分に水が導入される。そのため、周壁に沿った旋回流ＣＦが発達しやすく、「絞り」による水の「閉じこめ」の効果が弱い場合でも、旋回流ＣＦを発達させることができる。このため、図８に表したように、比較例と比べて、顕著に高い吸引力が得られるものと考えられる。
【００３８】
次に、本発明のマッサージノズルにおける入水部６の縦横比について説明する。  図１１は、本発明のマッサージノズルにおいて入水部６の幅Ｗ１とＷ２とを変えた具体例を表す模式図である。同図も、図４と同様に入水方向に対向する方向から眺めた断面図である。
また、図１２（ａ）〜（ｃ）は、図１１（ａ）〜（ｃ）をそれぞれ矢印Ａの方向からみた透視概念図である。
【００３９】
図１１及び図１２は、入水部６の流路断面積を同一にしつつ、幅Ｗ１とＷ２を変えた具体例を表す。但し、これらいずれも幅Ｗ１が幅Ｗ２よりも大きく、本発明の範囲に包含される。
理想的な旋回流を想定すると、入水部６から導入された水は、絞り部９による「絞り」により決定される厚みＳの水膜を形成すると近似できる。この厚みＳを超えた水が、吐水口７から吐出される。従って、入水部６から旋回室８に導入される入水流の幅（Ｗ２）は、この水膜の厚みＳを超えないことが望ましい。つまり、旋回軸Ｚに対して平行な方向から見たとき、入水部６から旋回室８に流入する入水流は、吐水口７よりも外側に流入することが望ましい。
【００４０】
図１１（ｃ）及び図１２（ｃ）に表した具体例の場合、入水部６は、理想的な旋回流の水膜の厚みＳを超えた幅Ｗ２を有するので、入水流の幅（Ｗ２）も理想的な旋回流の水膜の厚みＳを超えてしまう。つまり、旋回軸Ｚに対して平行な方向から見たとき、入水部６から旋回室８に流入する入水流の一部は、吐水口７よりも内側に流入する。その結果として、入水力を旋回力に効率よく変換できないおそれがある。
【００４１】
つまり、入水部６の幅Ｗ２は、図１１（ｂ）及び図１２（ｂ）に表した具体例のように、理想的な旋回流の水膜の厚みＳを超えない範囲にあることが望ましい。さらに、図１１（ａ）及び図１２（ａ）に表したように、入水部６の幅Ｗ２が水膜の厚みＳよりも十分に薄い場合には、極めて効率よく入水力を旋回力に変換できる点で、さらに望ましいといえる。
【００４２】
次に、入水部６の位置について説明する。
図１３は、本発明のマッサージノズルにおいて入水部６の位置が異なる具体例を表した模式図である。すなわち、同図も、図４と同様に入水方向に対向する方向から眺めた断面図である。
同図（ａ）に表したように、入水部６が吐水口７に接近して設けられた場合、導入された水が旋回流を十分に形成する前に吐水口７に達してしまうおそれがある。これに対して、図１３（ｂ）に表したように、入水部６を吐水口７から遠ざけ、旋回室８の底部壁面８Ｒに近接させて設けると、導入された水は、吐水口７に達する前に、旋回流ＣＦを十分に発達させることができる。
【００４３】
つまり、入水部６は、できるだけ吐水口７と対向した底面（８Ｒ）に近接させて設けることが望ましいといえる。
【００４４】
次に、入水部６の形状について説明する。
図１４は、本発明のマッサージノズルにおける入水部６の形状の具体例を表す模式図である。すなわち、同図も、図４と同様に入水方向に対向する方向から眺めた断面図である。
【００４５】
本発明においては、入水部６の形状としては、同図（ａ）に表したような略長方形状、同図（ｂ）に表したような略扁平円状、あるいは同図（ｃ）に表したような略楕円状を与えることができる。また、これら以外にも、扁平多角形状や扁平不定形状などとしてもよい。すなわち、旋回軸Ｚに平行な幅Ｗ１が垂直な幅Ｗ２よりも大なれば、各種の形状を与えて同様の作用効果を得ることができる。
【００４６】
次に、旋回室に「絞り」が設けられていない実施例について説明する。
図１５は、本発明のマッサージノズルにおいて「絞り部」を設けない具体例を表す断面図である。
本実施例においては、旋回室８は、吐水口７に向けてストレートに開口する単一の略円筒状の空間を有する。つまり、旋回室８の内径と吐水口７の開口径とはほぼ同一であり、吐水口での「絞り部」は設けられていない。旋回室８の形態として、このような略単一の円筒状を採用すると、吐水口の近傍に「絞り部」を設けた場合と比較して水流の圧力損失を低くすることができ、給水圧力に対して得られる流量を増やすことができる。その結果として、旋回流ＣＦの流量を増加させ、さらに強い吸引押圧作用を得ることができる。
【００４７】
またさらに、このような単一の円筒状の旋回室は、製造が極めて容易であり、コストも下げることができる。なお、本具体例のマッサージノズル１を樹脂の射出成形技術（インジェクション・モールド）などにより形成する場合、旋回室８の形状に「テーパ」を設ける場合がある。すなわち、鋳型に樹脂をモールドし、その後に旋回室８の内部空間を形成するための鋳型突出部を円滑に引き抜くためには、旋回室８の内径を均一ではなく、吐水口７に向けてやや内径が拡がるように形成することが望ましい。本発明は、このようなテーパ状の旋回室８を有するものも包含する。
【００４８】
図１６は、本具体例の旋回室において形成される旋回流の状態を表す概念図である。すなわち、同図も、図４と同様に入水方向に対向する方向から眺めた断面図である。
図１６（ｂ）に表したように、入水部６が通常の円形状などの場合には、旋回軸に接近して入水されるので、旋回室８の周壁に沿った旋回流が形成される前に吐水口７に達してしまう。その結果として、負圧領域ＮＰはあまり発達せず、吸引力も弱い。
これに対して、図１６（ａ）に表したように、入水部６が本発明の如く周壁に近接して扁平状に設けられた場合には、旋回室８の周壁に沿った旋回流ＣＦが発達しやすく、これに応じた負圧領域ＮＰも発達させることができる。
【００４９】
しかし、吐水口７に「絞り部」が設けられていないため、水の「閉じこめ」効果は得られず、入水力を旋回力に効率よく変換できない傾向がある。従って、このようなストレート形状の場合には特に、入水部６の形状を扁平として、できるだけ旋回室８の周壁に近接させて入水させることが望ましい。つまり、入水部６の幅Ｗ２をできるだけ小さくすることが望ましい。但し、幅Ｗ２を小さくしすぎると、入水部６の圧力損失が増え、流量が低下する傾向がある。このような場合には、複数の入水部６を設けるとよい。
【００５０】
図１７は、ふたつの入水部が設けられた具体例を表す模式図である。すなわち、同図は、図３と同様の方向からみた断面図である。
本具体例のマッサージノズル１は、円筒形の旋回室８の内部周壁に対して、その接線方向に開口したふたつの入水部６Ａ、６Ｂを有する。これら入水部６Ａ、６Ｂは、それぞれが図４に例示した如く、幅Ｗ１が幅Ｗ２よりも大なる扁平状に形成されている。そして、共通の導入路５から送水され、旋回室８に水を導入する。このように、ふたつの入水部を設けることにより、入水部を扁平状に形成しても圧力損失の増加を抑えて、必要な流量を得ることができる。なお、必要に応じて、旋回室８の周壁に沿って３つ以上の入水部を適宜設ければ、さらに圧力損失の増加を抑えることが可能となる。
また、複数の入水部を旋回室８の周壁に沿って均等に配置すると、旋回軸が旋回室８の中心軸とほぼ一致した均一な旋回流を形成することができる。
【００５１】
次に、リング状の「ガイド部」が設けられたマッサージノズルについて説明する。
図１８は、本具体例のマッサージノズルを表す断面図である。同図については、図１乃至図１７に関して前述したものと同様の要素には同一の符号を付して詳細な説明は省略する。
本具体例においては、マッサージノズル１の吐水口７の前面に、突出したリング状のガイド部２２が設けられている。ガイド部２２のサイズは、吐水口７の内径よりも大きい。こうすることにより、旋回吐水を皮膚にあてることができ、吐水力による刺激感を維持できる。また、ガイド部２２のサイズをマッサージノズル１の外径よりも小さくしてもよい。このようにすると、人体に対してガイド先端の位置決めをしやすく、操作性が向上する。なお、ガイド部２２の先端は、人体と接触する場合があるので安全を考慮して端面は曲面状とすることが望ましい。
【００５２】
本発明のマッサージノズルにより吸引トリートメントを実施する場合、吐水口７と人体の被処理部位１０との間には、吸引力と押圧とがバランスする最適な距離が存在する。これは、例えば図７のグラフにおいて、吸引力のピークが存在することからも分かる。しかし、この最適な距離を常に維持することは容易ではない。これに対して、本実施例においては、リング状のガイド部２２を設けることにより、吐水口７までの最適距離を容易に得ることができる。つまり、ガイド部２２を被処理部位１０に軽く押し当てることにより、最適な吸引作用が得られる距離を維持することができる。
また、使用者は、このマッサージノズル１を用いて吸引トリートメントを実施する際には、リング状のガイド部２２を被処理部位に軽く押し当てるようにする。前述したように、吐水口７からは旋回流が円錐状に放出されているので、ガイド部２２と被処理部位（人体）１０との間にも、均質な水膜が形成される。つまり、被処理部位（人体）は、均質で連続的な水膜により保護されるので、ガイド部２２を設けても、被処理部位（人体）に対する不快な刺激は少ない。その結果として、吸引トリートメントを続けながら被処理部位の上でマッサージノズル１を滑らかに移動させることができる。
【００５３】
またさらに、このようなリング状のガイド部２２を設けることにより、吐水口７から周囲に略円錐状に吐出される旋回流吐水の飛散を抑制できる。つまり、吐水口７から広角度に飛散する吐水成分による不快感や刺激などを緩和して、使用感が向上する。
またさらに、ガイド部２２の後方にスカート状の延在部を設け、吐水口７から吐出された水の一部をマッサージノズル１の後方に逃がす水路２３を形成してもよい。つまり、吐水口７から吐出された水の一部は矢印Ｄの如く、被処理部位１０とガイド部２２の先端との間に水膜を形成し、他の一部は、矢印Ｒの如く、水路２３を通って、マッサージノズル１の後方に流出する。このような水路２３を設けることにより、吐水口７の前面、すなわちリング状のガイド部２２の内側における吐水の滞留を防止することができる。つまり、リング状のガイド部２２を設けた場合、その先端に被処理部位１０をあてがった状態で吐水させると、リングの内側の空間に吐水が滞留し、吐水口７の近傍における水流の分布が変化して負圧力が低下したり負圧領域が減少したりするおそれがある。これに対して、吐水を逃がす水路２３を設けることにより、ガイド部２２を設けても、吐水口７近傍の水流の分布の「くずれ」を防ぐことができる。つまり、所期の吸引作用を得ることができる。
【００５４】
次に、入水部を可変としたマッサージノズルについて説明する。
図１９は、本具体例のマッサージノズルの斜視図である。
また、図２０は、このマッサージノズルの正面図であり、図２１及び図２２は図２０のＡ−Ａ線断面図であり、図２３及び図２４はそれぞれ図２１及び図２２のＢ−Ｂ線断面図である。
本具体例のマッサージノズルは、ボタン１３により操作される入水部可変スイッチを有する。すなわち、図２３及び図２４を参照しつつ説明すると、ボタン１３を押さない状態（図２３）においては、ゲート１７が開かれた状態であり、導入路５から供給される水は、旋回室８の周壁接線方向ではく、中心に向けて導入される。その結果として、図２３に表したように、旋回流は形成されない。
【００５５】
一方、ボタン１３を押した場合には、図２４に表したように、押しバー１２の摺動に連動してゲート１７が閉じられる。すると、旋回室８の周壁接線方向に入水させる入水部６が形成される。この入水部６は、例えば図４に例示した如く、旋回軸に平行な幅Ｗ１が垂直な幅Ｗ２よりも大なる扁平形状を有する。また、旋回室８に面したゲート１７の側壁は、旋回室８の周壁の一部を連続的に構成するような曲面を有することが望ましい。従って、少ない流量でも旋回流ＣＦを発達させ、強い吸引力を得ることができる。
【００５６】
このように、本具体例のマッサージノズルにおいては、ボタン１３の操作により、吸引力のオン・オフを制御できる。図２３に表したように、ゲート１７が開かれて吸引力がオフの状態においては、旋回流が形成されないため、吐水口７からの吐水は、周囲に飛散する旋回吐水とはならず、集束した水流が吐水口７から前方に向けて放出される。従って、吐水の飛散による不快感を大幅に低減することができる。そして、ボタン１３を操作することにより、扁平状の入水部６を形成し、強い吸引力を発生させて効果的な吸引マッサージを実施することができる。
【００５７】
また、ボタン１３の操作に応じた押しバー１２の摺動位置によって、ゲート１７の突出量を調節することも可能である。つまり、ボタン１３を押す量を調節することにより、ゲート１７の開度を可変とし、旋回室８内に形成される旋回流ＣＦの状態を調節することが可能である。その結果として、旋回吐水及び吸引力の強さすなわち使用者への刺激感を調節することができる。これにより、使用者は好みに応じてボタン１３を適宜操作し、吸引トリートメントの強弱を簡便に変化させることができ、操作性が向上する。
【００５８】
なお、図２３及び図２４には、ボタン１３の押し操作に連動して旋回流ＣＦが形成される具体例を表したが、本発明はこれに限定されない。これとは逆に、通常状態で旋回流ＣＦが形成され、使用者がスイッチを操作することにより旋回流の形成が抑制されるようにしてもよい。また、スイッチの具体的な構造や、ゲート１７の形状あるいは動作、取り付け位置などについても各種の変型例を本発明の範囲とすることができる。
【００５９】
次に、旋回室に空気を導入するマッサージノズルの具体例について説明する。図２５は、本具体例のマッサージノズルを表す断面図である。同図についても、図１乃至図２４に関して前述したものと同様の要素には同一の符号を付して詳細な説明は省略する。
本具体例においては、旋回室８の後方底面すなわち、吐水口７と対向する壁面に空気導入口２６が設けられている。この空気導入口２６は、図示しない空気配管８２を介して大気に開放され、または空気供給手段に接続されている。
前述した如く、扁平形状の入水部６から旋回室８に水が導入され、旋回流ＣＦが効率的に形成されると、旋回室８の中心付近に強い負圧部が形成される。すると、その圧力差によって、空気導入口２６から旋回室８内に空気が吸い込まれ、旋回流ＣＦの旋回軸線上に空気柱２８が形成される。このマッサージノズルを水中で使用した場合、この空気柱２８は、吐水口７の近傍において矢印ＢＷにより表したように外側から流入しようとする周囲水とぶつかり、および旋回室８から速度を速めて吐水口７から吐出しようとする旋回吐水のせん断力により引きずられ、形状を微細な気泡と変えながら、旋回吐水と共に周囲水中に吐出される。
【００６０】
こうして、吐水口７から吐出する旋回吐水は、気泡が混入された気泡混入水となり、旋回成分をもった円錐形の吐水となる。この場合の円錐形吐水形状は、吐水口７の断面積および吐水口７の開口端の形状により変化する。
【００６１】
気泡の量及び径は、空気導入口２６に供給される空気量を調整することにより可変である。気泡の径は、空気流量が少なければ小さくなる。空気の供給を遮断して、気泡混入のない吸引モードで動作させることも可能である。この場合には、もっとも強い吸引力が得られる。また、入水部６から導入される水の流量に応じて発生する負圧を変化させることができるので、これによっても気泡の量および径を変化させることも可能である。
このように、本具体例によれば、気泡浴マッサージ装置としても使用が可能である。またさらに、本具体例においては、混入させる気泡量を変化させることによって、吐水口７において生ずる吸引力を調節することも可能である。
【００６２】
次に、本発明のマッサージシステムについて説明する。
すなわち、図１乃至図２４に関して前述した本発明のマッサージノズルを、送水手段などと組み合わせることにより、吸引トリートメントが実施可能なマッサージシステムが実現する。
まず、本発明のマッサージシステムの第１の実施例として、椅子型のマッサージシステムについて説明する。
図２６及び図２７は、本発明の第１の実施例のマッサージシステムを、斜め正面側、及び斜め後方側からそれぞれ眺めた模式図である。
また、図２８は、このマッサージシステムの要部構成を表すブロック図である。
【００６３】
すなわち、本実施例のマッサージシステムをその外部から眺めると、筺体７０と、その正面から伸びる可撓性ホース３０と、その先端に設けられたマッサージノズル１と、を有する。筺体７０には、操作スイッチ７２、吸気開閉コック７４、取水口７６、持ち穴７８、電源コード８０、吸気ホース８２などが適宜設けられている。  筺体７０の内部には、送水手段５０が収容されている。送水手段５０は、例えば耐水処理が施された電動式の送水ポンプを内蔵し、取水口７６から取り入れた水（お湯）を可撓性ホース３０を介してマッサージノズル１に送出する。送水ポンプは、例えば、筺体７０の外部から交流または直流の電力の供給を受けるようにしてもよく、または、筺体７０の中に充電池などの電源を内蔵して電力を供給してもよい。いずれの場合にも、浴槽内の湯に沈めて安全に使用できるよう、所定の耐水処理が適宜実施されている。
なお、吸気ホース８２は、図２５に関して前述した如く、マッサージノズル１に空気を導入する場合に利用することができる。また、図２８に例示したように、吸気切り替えコック７５を適宜設けてもよい。吸気切り替えコック７５を閉じた場合には、吸気ホース８２を介してノズル１に空気を送り、コック７５を開いた場合には、可撓性ホース３０に空気を混入させることができる。これにより、例えばノズルを取り外しての気泡浴も楽しめる。もちろん、ノズル１に空気を混入しないシステムの場合には、吸気ホース８２は不要である。
【００６４】
一方、マッサージノズル１は、図２６に例示した如く、シャワーヘッドに類似した外観を有する。同図に表したマッサージノズル１Ａは、その先端付近を「わしづかみ」にして用いるのに適した形状を有する。またマッサージノズル１Ｂは、通常のシャワーヘッドの如くその根本部分を保持して用いるのに適した形状を有する。
これらマッサージノズル１（１Ａ、１Ｂ）は、図１乃至図２４に関して前述したように、旋回軸Ｚに平行な幅Ｗ１が垂直な幅Ｗ２よりも大なる扁平状の入水部を有する旋回室を有する。このような独特の構造を有するマッサージノズルを設けることにより、送水手段５０から送出された水の旋回流を効率的に形成することができる。使用者は、この旋回流により形成される強い負圧効果を利用して、被処理部位に対して効果的な吸引トリートメント（吸引マッサージ）を実施することができる。
【００６５】
図２９は、本実施例のマッサージシステムの使用状態を説明するための模式図である。すなわち、使用者２００は、湯１１０をはった浴槽１００の中に本発明のマッサージシステムを設置し、筺体７０の上に腰掛けた状態でマッサージノズル１を操作することができる。この際に、図２に関して前述したように旋回吐水Ａにより形成される水膜により吐水口７の周囲が覆われるため、人体の被処理部位１０の表面は常に均質な水膜に保護され、人体はマッサージノズルから過度の摩擦抵抗を受けない。このため、不快な刺激がなく、使用感に優れる。また、本実施形態のマッサージノズル１を浴槽内の水（お湯）の中に浸した状態で用いると、吸引力を低下させる空気層（空洞）が旋回室内に形成されることを抑制でき、より効果的である。また、浴槽１００内のお湯１１０を循環使用する点で、節水効果も高い。
【００６６】
本実施例のマッサージシステムによれば、旋回軸Ｚに平行な幅Ｗ１が垂直な幅Ｗ２よりも大なる扁平状の入水部を有するマッサージノズルを用いることにより、限られた水量で強い吸引押圧作用が得られる。その結果として、送水手段５０をコンパクトにし、使用者２００が腰掛けられる筺体７０の中に収容することが容易となる。また、小さいポンプで強い吸引力が得られるので、ランニングコストも抑えることができる。
また、マッサージノズル１が筺体７０に対して可撓性ホース３０により接続されているので、マッサージノズル１を使用者の身体のあらゆる部分の被処理部位に対して柔軟且つ自在にあてることができる。しかも、トリートメントしづらいヒップや太ももの裏側が、腰掛けている状態により浴槽底面から浮いているので、ノズルをあててトリートメントするスペースが得られ、確実且つ容易にトリートメントできる。
【００６７】
また、本発明によれば、使用者２００は、コンパクトな筺体７０の上に腰掛けた状態でマッサージノズル１を操作できる。その結果、使用者２００は、常にリラックスした状態で吸引トリートメントすることができる。またさらに、上半身、例えば脇の下から二の腕を吸引トリートメントするような場合でも、マッサージノズル１を浴槽の湯１１０の中に浸した状態で操作することが可能である。しかも、下半身、例えば、ヒップや太ももの裏側まで、まんべんなく吸引トリートメントすることができる。従って、これらの部位につきやすい「セルライト（老廃物と脂肪の塊）」を揉みほぐすことにより、老廃物の排出を促進し、セルライトを正常な脂肪に改善することができる。その結果として、人体の「引き締め効果」が得られる。
【００６８】
次に、本発明のマッサージシステムの第２の実施例として、浴槽型のマッサージシステムについて説明する。
図３０は、本発明のマッサージシステムの第２の実施例を表す模式図である。すなわち、同図は、浴槽１００と組み合わされたマッサージシステムを表す。
本実施例の場合、浴槽１００の中にノズル収容部１２０が設けられ、図１乃至図２５に関して前述した本発明のマッサージノズル１は、このノズル収容部１２０に収容可能とされている。そして、送水手段５０は、水配管６０を介して浴槽１００の中の水（お湯）を取水し、可撓性ホース３０を介してマッサージノズル１に送出する。
【００６９】
本実施例においては、図３０（ａ）に表したように、ノズル収容部１２０にマッサージノズル１を収納した状態で、使用者は、浴槽１００内に入浴しマッサージノズル１に被処理部位をあてがうことにより吸引押圧マッサージを受けることができる。この時、マッサージノズル１は、水没していてもよく、お湯よりも上に露出していてもよい。但し、図２に関して前述したように、マッサージノズル１を水没させたほうがより強い吸引マッサージを受けることができる。
また、図２５に関して前述したように、マッサージノズル１を収容部１２０に収納した状態で空気導入口２６から空気を導入すれば、いわゆる気泡浴装置として使用することもできる。
【００７０】
また一方、図３０（ｂ）に表したように、マッサージノズル１をノズル収容部１２０から取り外して用いることができる。本実施例においては、マッサージノズル１は、可撓性ホース３０により接続されているので、使用者は、マッサージノズル１を自由な位置に移動させ、被処理部位にあてて使用することができる。
【００７１】
なお、本実施例においても、送水手段５０により浴槽１００内のお湯（水）をマッサージノズル１に供給する。つまり、浴槽１００内のお湯を循環使用する点で、節水効果が高い。そして、図１乃至図２５に関して前述した本発明のマッサージノズル１を用いることにより、限られた水量でも強い吸引力を発生させることができ、強い吸引押圧マッサージ効果を得ることができる。
【００７２】
図３１は、本発明のマッサージシステムの第３の実施例を表す模式図である。同図については、図１乃至図３０に関して前述したものと同様の要素には同一の符号を付して詳細な説明は省略する。
本実施例においては、浴槽１００のお湯を循環させる送水手段の代わりに、お湯（または水）の供給部４００が設けられている。供給部４００としては、例えば、浴槽１００にお湯を供給するための給湯器を兼用することができる。
本実施例の場合には、供給部４００を設けることより、浴槽１００内にお湯がない状態においても、本発明のマッサージノズル１を用いた吸引押圧マッサージを受けることができる。もちろん、浴槽１００内にお湯がはられた状態においても、吸引押圧マッサージや気泡浴を同様に実施することができる。
そして、図３１（ｂ）に表したように、可撓性ホース３０を伸ばすことにより、マッサージノズル１を取り外して所望の被処理部位に向けて使用することができる。また、本実施例においては、図３０に関して前述したような送水手段５０や循環のための水配管６０を設ける必要がないため、マッサージシステムの構造を簡略化させ、低コストで提供することが可能である。
【００７３】
図３２は、本発明のマッサージシステムの第４の実施例を表す模式図である。同図についても、図１乃至図３１に関して前述したものと同様の要素には同一の符号を付して詳細な説明は省略する。
本実施例においては、ノズル収容部１２０が浴槽１００の周縁の、いわゆる「エプロン」の部分に設けられている。気泡浴を行わず、吸引押圧マッサージを主体として実施するような場合には、マッサージノズル１を簡単に取り外し、使用者の人体の各所に容易にあてがうことができるようにすることが望ましい。ノズル収容部１２０を浴槽１００のエプロンに設置すると、マッサージノズル１を取り外すことが極めて容易となる。また、浴槽１００内に入浴した状態で、マッサージノズル１が邪魔になる心配もない。
そして、本発明においても、可撓性ホース３０によりノズル収容部１２０とマッサージノズル１とを接続することにより、マッサージノズル１を自在に取り扱うことができる。
【００７４】
また、本実施例においても、浴槽１００内のお湯を循環使用する点で、節水効果が高く、また、図１乃至図２５に関して前述した本発明のマッサージノズル１を用いることにより、少ない流量で強い吸引押圧マッサージ効果を得ることができる。
【００７５】
図３３は、本発明のマッサージシステムの第５の実施例を表す模式図である。同図についても、図１乃至図３２に関して前述したものと同様の要素には同一の符号を付して詳細な説明は省略する。
本実施例においても、ノズル収容部１２０が浴槽１００の周縁の「エプロン」の部分に設けられている。このため、マッサージノズル１を取り外すことが極めて容易となる。また、浴槽１００内に入浴した状態で、マッサージノズル１が邪魔になる心配もない。
また、本実施例においても、可撓性ホース３０によりノズル収容部１２０とマッサージノズル１とを接続することにより、マッサージノズル１を自在に取り扱うことができる。さらに、送水手段５０や循環のための水配管６０を設ける必要がないため、マッサージシステムの構造を簡略化させ、低コストで提供することが可能である。そして、図１乃至図２５に関して前述した本発明のマッサージノズル１を用いることにより、少ない流量で強い吸引マッサージが可能となる。
【００７６】
以上具体例を参照しつつ本発明の実施の形態について説明した。しかし、本発明は、これらの具体例に限定されるものではない。
すなわち、本発明のマッサージノズル及びマッサージシステムを構成するいずれかの要素について当業者が設計変更を加えたものであっても、本発明の要旨を備えたものであれば、本発明の範囲に包含される。
【００７７】
例えば、マッサージノズルの外形や、吐水口とのサイズの比率、あるいは入水部の位置関係などについては、旋回流が得られ、その結果として負圧部が形成される範囲内であれば、本発明に包含される。
【００７８】
【発明の効果】
以上詳述したように、本発明に係るマッサージノズルによれば、少ない水量でも旋回流を十分に発達させることが可能となり、強い吸引力が得られる。その結果として、従来よりも優れた各種の生体効果が得られ、また、ランニングコストを抑えたコンパクトなマッサージシステムを実現することが可能となる。
【図面の簡単な説明】
【図１】本発明の実施の形態にかかるマッサージノズル１の正面図である。
【図２】図１のＡ−Ａ線断面図である。
【図３】図２のＢ−Ｂ線断面図である。
【図４】（ａ）は、図３を異なる方向に表したものであり、（ｂ）は、（ａ）のＣ−Ｃ線断面図である。
【図５】入水部６の開口形状を比較して表した模式図である。
【図６】本発明者が実施した測定の方法を表す模式図である。
【図７】本発明者が試作したノズルについて吐水口からの距離と吸引力との関係を表すグラフ図である。
【図８】本発明と比較例のノズルの吸引力の比率を吐水口径ごとに比較したグラフ図である。
【図９】本発明および比較例のマッサージノズルにおける旋回流の状態を例示した概念図である。
【図１０】本発明および比較例のマッサージノズルにおける旋回流の状態を例示した概念図である。
【図１１】本発明のマッサージノズルにおいて入水部６の幅Ｗ１とＷ２とを変えた具体例を表す模式図である。
【図１２】（ａ）〜（ｃ）は、図１１（ａ）〜（ｃ）をそれぞれ矢印Ａの方向からみた透視概念図である。
【図１３】本発明のマッサージノズルにおいて入水部６の位置が異なる具体例を表した模式図である。
【図１４】本発明のマッサージノズルにおける入水部６の形状の具体例を表す模式図である。
【図１５】本発明のマッサージノズルにおいて「絞り部」を設けない具体例を表す断面図である。
【図１６】本発明の具体例の旋回室において形成される旋回流の状態を表す概念図である。
【図１７】ふたつの入水部が設けられた具体例を表す模式図である。
【図１８】本発明の具体例のマッサージノズルを表す断面図である。
【図１９】本発明の具体例のマッサージノズルの斜視図である。
【図２０】本発明の具体例のマッサージノズルの正面図である。
【図２１】図２０のＡ−Ａ線断面図である。
【図２２】図２０のＡ−Ａ線断面図である。
【図２３】図２１のＢ−Ｂ線断面図である。
【図２４】図２２のＢ−Ｂ線断面図である。
【図２５】本発明の具体例のマッサージノズルを表す断面図である。
【図２６】本発明の第１の実施例のマッサージシステムを斜め正面側から眺めた模式図である。
【図２７】本発明の第１の実施例のマッサージシステムを斜め後方側から眺めた模式図である。
【図２８】第１実施例のマッサージシステムの要部構成を表すブロック図である。
【図２９】第１実施例のマッサージシステムの使用状態を説明するための模式図である。
【図３０】本発明のマッサージシステムの第２の実施例を表す模式図である。
【図３１】本発明のマッサージシステムの第３の実施例を表す模式図である。
【図３２】本発明のマッサージシステムの第４の実施例を表す模式図である。
【図３３】本発明のマッサージシステムの第５の実施例を表す模式図である。
【符号の説明】
１、１Ａ、１Ｂ  マッサージノズル
２  旋回部
３  吐水部
４  接続部
５  導入路
６、６Ａ、６Ｂ  入水部
７  吐水口
８  旋回室
８Ｒ  底部壁面
１０  被処理部位
１２  押しバー
１３  ボタン
１７  ゲート
２２  ガイド部
２３  水路
２６  空気導入口
２８  空気柱
３０  可撓性ホース
５０  送水手段
６０  水配管
７０  筺体
７２  操作スイッチ
７４  吸気開閉コック
７５  吸気切り替えコック
７６  取水口
７８  持ち穴
８０  電源コード
８２  吸気ホース
８２  空気配管
１００  浴槽
１１０  湯
１２０  ノズル収容部
２００  使用者
３００  受圧板
４００  供給部
Ｚ  旋回軸
【図１】
2004337447.tif 000005
【図２】
2004337447.tif 000006
【図３】
2004337447.tif 000007
【図４】
2004337447.tif 000008
【図５】
2004337447.tif 000009
【図６】
2004337447.tif 000010
【図７】
2004337447.tif 000011
【図８】
2004337447.tif 000012
【図９】
2004337447.tif 000013
【図１０】
2004337447.tif 000014
【図１１】
2004337447.tif 000015
【図１２】
2004337447.tif 000016
【図１３】
2004337447.tif 000017
【図１４】
2004337447.tif 000018
【図１５】
2004337447.tif 000019
【図１６】
2004337447.tif 000020
【図１７】
2004337447.tif 000021
【図１８】
2004337447.tif 000022
【図１９】
2004337447.tif 000023
【図２０】
2004337447.tif 000024
【図２１】
2004337447.tif 000025
【図２２】
2004337447.tif 000026
【図２３】
2004337447.tif 000027
【図２４】
2004337447.tif 000028
【図２５】
2004337447.tif 000029
【図２６】
2004337447.tif 000030
【図２７】
2004337447.tif 000031
【図２８】
2004337447.tif 000032
【図２９】
2004337447.tif 000033
【図３０】
2004337447.tif 000034
【図３１】
2004337447.tif 000035
【図３２】
2004337447.tif 000036
【図３３】
2004337447.tif 000037